(57)【要約】      （修正有）【課題】片手でペーパーを操作でき、安全で無駄のないロールペーパーホルダーを提供する。【解決手段】ロールペーパー１−ａの軸芯垂直センターとロールペーパーホルダーのロールペーパー引き出し口の垂直センターを偏位し、ロールペーパー１−ａの走行方向に斜の角度を発生せしせしめ、滑り止め部材５との摩擦力を強めることで惰性による回転並びにロールペーパー１が少量になつた際のカラ滑りを防止する、さらにカット刃７の方向にロールペーパー１−ａを引くことで次回のロールペーパー１−ａの引き出しの為の摘まみを容易にする垂れ下がり長さを得ることが出来る。又カット刃７−ａは逆Ｖ字型またはアーチ形に成型することでカットを正確に、容易に操作する事ができる。またロールペーパー脱落防止板４を設けてロールペーパー１−ａの脱落を防止する。【選択図】図１
2005261870.tif 000002
【特許請求の範囲】
【請求項１】
ロールペーパーホルダーの下部に逆Ｖ字型又はアーチ型のロールペーパーホルダーのカット部を備え、それらのカット部の下端には鋸状の連なるカット刃が配列され形成されていることを特徴とするロールペーパーホルダー。
【請求項２】
「請求項１」のロールペーパーホルダーのカット部のカット刃の前面にはロールペーパーカット時のペーパー持ち上げ動作によって上方に開く蓋を設け、手指の誤挿入による負傷を防ぐ機能を備えることを特徴としたロールペーパーホルダー。
【請求項３】
「請求項１」のロールペーパーホルダーの下部に備えられたカット刃と、ロールペーパーセット位置との中間にあたるロールペーパー引き出し口「４図符号１０」に、滑り止め部材「４図符号５」を設けることで、ロールペーパーの摺動面の摩擦抵抗を強め、ロールペーパーを使用のためロールペーパーホルダーから引き出す時、惰性による回転並びにロールペーパーが少量になった際のカラ滑りを防止するので必要量以上の長さが引き出されることがなく、次いでロールペーパーをカットする時にカット刃の方向にロールペーパーが９０°屈折する為滑り止め効果が増大し、カット時にロールペーパーが制動されるので引き出し口からカット刃までの長さが保たれ、正確にカットされ、次回使用の為の目視と摘まみを容易にする垂れ下がり長さを残すことを特徴とするロールペーパーホルダー。
【請求項４】
「請求項１」のロールペーパーホルダーのロールペーパー挿入用の軸はネジによって着脱可能の構造とし、軸棒両側とハウジングのロールペーパー引き出し口の両側にロールペーパーの脱落防止板を設けてロールペーパーの軸穴の有るものも、軸穴の無いものもそれぞれ兼用出来る事を特徴とするロールペーパーホルダー。
【発明の詳細な説明】
【技術分野】
【０００１】  本発明は、片手で操作の出来る、安全で、ペーパーを無駄にしない、ロールペーパーホルダーに関するものである。
【背景技術】
【０００２】  ロールペーパーホルダーにセットされたペーパーを引き出し、カットするには片手でペーパー端を摘まみ、もう一方の手で蓋カバーを押さえてカットしなければならなかつた、その為に老人や幼児または手の不自由な身障者には操作が難かしかった。【０００３】  鋸状のカット刃を設けるロールペーパーホルダーも見られるが、安全カバーを有する構造のものはなく危険である。【０００４】  鋸状のカット刃が水平に構成されているのでカットしにくく、カットされたペーパー断面が不規則な形状になり易い。【０００５】  セットされたペーパーを引き出す時回転の惰力によって必要量以上の長さがでてしまうことがある。【０００６】  ロールペーパーの軸穴のある物、軸穴のない物の兼用が出来ない。
【発明の開示】
【発明が解決しようとする課題】
【０００７】  解決しようとする問題点は片手で容易にペーパーを切れることと、ロールペーパーホルダーの、取り扱いが老人、幼児、身障者にも容易に取り扱え、且つロールペーパーを無駄なく、安全に必要の長さにカット出来、又ロールペーパーの芯穴のあるタイプも、芯穴のないタイプのも使用することができる。
【課題を解決するための手段】
【０００８】  本発明はロールペーパーを挿入方向から見てロールペーパーの軸芯垂直センターと、ロールペーパーホルダーのロールペーパー引き出し口の垂直センターを同一とせず偏位せしめ、ロールペーパーの走行方向に斜めの角度を持たせる事で滑り止め部材との摩擦力を強めて惰性による回転を防ぐと共に、カット時の制動も併せて行える構造とする、さらにロールペーパー引き出し口とカット刃先までの距離が延長されるのでカット後、垂れ下がって次回の使用時に目視と指先での摘まみが容易となる。【０００９】  カット刃は、従来は水平の形状であるが、本発明は逆Ｖ字型またはアーチ型としてロールペーパーが両端から食い込み易く、滑べらず、カットが容易にできる、又カット刃の前面に指先がカット刃に触れない様に安全カバーを設けている。【００１０】  ロールペーパーハウジングの挿入軸には軸端に脱落防止板「１図４−ａ」のあて板と補強枠に脱落防止板「１図４−ｂ」を設けて軸穴のあるロールペーパーの脱落を防止し、又ロールペーパーハウジング下部の端に脱落防止板「１図６−ａ」及び「１図６ーｂ」を設けて軸穴のないロールペーパーの脱落を防止する。
【発明の効果】
【００１１】  本機構によればロールーペーパーをハウジング内に片手で挿入する事が容易であり、かつ、ロールペーパーが片手で容易にカットできるので老人、幼児、身障者にも容易に、安全に無駄のないペーパーカットが出来る。
【発明を実施するための最良の形態】
【００１２】  本発明のロールペーパーホルダーのハウジングは一枚の材料を円筒型に成型して、他には補強枠とロールペーパー挿入軸、ロック扉、カット刃、カット刃カバー、あて板、滑り止め部材等の少数部品のみで組み立てられるので製作が容易であり。さらにカット刃の形状を逆Ｖ字型またはアーチ型とすることで、カット操作を容易に、かつ美くしく確実に行うことが出来る。
【産業上の利用可能性】
【００１３】  本形状は外観的にも円筒状で優美であり、前面平面部分も広いので和風トイレット、洋風トイレットに合わせての装飾をデザインすることも可能であり、さらに宣伝広告の媒体としての産業上の利用も可能である。
【図面の簡単な説明】
【００１４】
【図１】  ロールペーパーホルダーの斜視図である
【図２】  ロールペーパーホルダーの平面図である
【図３】  ロールペーパーホルダーの正面図である
【図４】  ロールペーパーホルダーの右側面図である
【図５】  ロールペーパーホルダーの背面図である
【符号の説明】
【００１５】  １ーａ  軸穴付ロールペーパー
１−ｂ  軸穴なしロールペーパー
２      ハウジング
３      補強枠、
４ーａ  ロールペーパー挿入軸、兼ロールペーパー脱落防止当板
４−ｂ  ロールペーパー脱落防止板
５      滑り止め部材
６ーａ  ロック扉、同蝶番、兼ロールペーパー脱落防止板
６−ｂ  ハウジング左右固定板、兼ロールペーパー脱落防止板
７ーａ  アーチ型カット刃
７−ｂ  逆Ｖ型、カット刃
８      カット刃カバー
９      取り付け長穴
１０      ロールペーパー引き出し口
【図１】
2005261870.tif 000003
【図２】
2005261870.tif 000004
【図３】
2005261870.tif 000005
【図４】
2005261870.tif 000006
【図５】
2005261870.tif 000007